(57)【特許請求の範囲】
【請求項１】
表示パネルを支持する支持部材と、
前記支持部材の第１面に配置された前記表示パネルと、
前記第１面とは異なる前記支持部材の第２面の一部に形成された窪み部と、
前記窪み部に対向して配置されるカバー部材とを備え、
前記窪み部は、対向する一対の第１側面と、前記一対の第１側面と交わる第２側面とを有し、
前記カバー部材は、前記窪み部の前記一対の第１側面および前記第２側面に対応して配置される３つの側壁部を有し、
前記カバー部材の前記３つの側壁部は、それぞれ、前記一対の第１側面と前記第２側面とに沿って、前記窪み部に収納可能に構成されている、表示装置。
【請求項２】
前記一対の第１側面と前記カバー部材の前記側壁部とは、当接する、請求項１に記載の表示装置。
【請求項３】
前記一対の第１側面と前記第２側面とが交わる部分には、曲面が設けられている、請求項１または２に記載の表示装置。
【請求項４】
前記対向する一対の第１側面は、前記表示パネルの短手方向に沿って形成されており、
前記第２側面は、前記表示パネルの長手方向に沿って形成されている、請求項１〜３のいずれか１項に記載の表示装置。
【請求項５】
前記窪み部内に形成された、凸部をさらに備え、
前記カバー部材は、前記凸部に当接する、請求項１〜４のいずれか１項に記載の表示装置。
【請求項６】
前記カバー部材は、前記凸部と対向するように配置され、前記カバー部材と一体的に形成された第１リブ部を含む、請求項５に記載の表示装置。
【請求項７】
前記第２面の一部を切り起こした切り起こし部をさらに備え、
前記切り起こし部と前記カバー部材とは、当接する、請求項１〜６のいずれか１項に記載の表示装置。
【請求項８】
前記カバー部材は、前記切り起こし部と対向するように配置され、前記カバー部材と一体的に形成された第２リブ部を含み、
前記第２リブ部と前記切り起こし部とは、当接する、請求項７に記載の表示装置。
【発明の詳細な説明】
【技術分野】
【０００１】
この発明は、表示装置に関し、特に、表示パネルを支持する表示パネル支持部材を備える表示装置に関する。
【背景技術】
【０００２】
従来、表示パネルを支持する表示パネル支持部材を備える表示装置およびテレビジョン装置が知られている（たとえば、特許文献１参照）。
【０００３】
上記特許文献１には、フロントキャビネットと、リアキャビネット（表示パネル支持部材）と、液晶パネル（表示パネル）とを備えた表示装置が開示されている。この表示装置では、フロントキャビネットとリアキャビネットとの間には、液晶パネルが配置されており、液晶パネルの後方には、回路基板が配置されている。また、リアキャビネットの後面（裏面）は、平坦面形状を有しており、回路基板は、リアキャビネットの平坦面形状の部分に覆われている。
【先行技術文献】
【特許文献】
【０００４】
【特許文献１】特開２００９−１３４２６９号公報
【発明の概要】
【発明が解決しようとする課題】
【０００５】
しかしながら、上記特許文献１に記載の表示装置では、たとえば、リアキャビネットの後面にカバー部材をさらに取り付ける場合には、リアキャビネットの後面が平坦面形状であるため、カバー部材をリアキャビネットの所定の位置に配置して取り付けることが困難であると考えられる。このため、カバー部材をリアキャビネット（表示パネル支持部材）に取り付ける際に、取付作業の作業性が悪くなるという問題点が生じると考えられる。
【０００６】
この発明は、上記のような課題を解決するためになされたものであり、この発明の１つの目的は、カバー部材を表示パネル支持部材に取り付ける際の取付作業性を向上させることが可能な表示装置およびテレビジョン装置を提供することである。
【課題を解決するための手段】
【０００７】
この発明の第１の局面による表示装置は、表示パネルを支持する支持部材と、支持部材の第１面に配置された表示パネルと、第１面とは異なる支持部材の第２面の一部に形成された窪み部と、窪み部に対向して配置されるカバー部材とを備え、窪み部は、対向する一対の第１側面と、一対の第１側面と交わる第２側面とを有し、カバー部材は、窪み部の一対の第１側面および第２側面に対応して配置される３つの側壁部を有し、カバー部材の３つの側壁部は、それぞれ、一対の第１側面と第２側面とに沿って、窪み部に収納可能に構成されている。
上記第１の局面による表示装置において、好ましくは、一対の第１側面とカバー部材の側壁部とは、当接する。
上記第１の局面による表示装置において、好ましくは、一対の第１側面と第２側面とが交わる部分には、曲面が設けられている。
上記第１の局面による表示装置において、好ましくは、対向する一対の第１側面は、表示パネルの短手方向に沿って形成されており、第２側面は、表示パネルの長手方向に沿って形成されている。
【０００８】
この第１の局面による表示装置では、上記のように、表示パネルを支持する支持部材と、支持部材の第１面に配置された表示パネルと、第１面とは異なる支持部材の第２面の一部に形成された窪み部と、窪み部に対向して配置されるカバー部材とを備え、窪み部が、対向する一対の第１側面と、一対の第１側面と交わる第２側面とを有し、カバー部材が、窪み部の一対の第１側面および第２側面に対応して配置される３つの側壁部を有し、カバー部材の３つの側壁部を、それぞれ、一対の第１側面と第２側面に沿って、窪み部に収納可能に構成することにより、カバー部材の移動が規制されるので、カバー部材を表示パネル支持部材に取り付ける際に、カバー部材の概略的な位置決めおよび位置保持を行うことができる。これにより、カバー部材を表示パネル支持部材に取り付ける際の取付作業性を向上させることができる。また、カバー部材の移動を規制する移動規制部を表示パネル支持部材に設けることによって、カバー部材が表示パネル支持部材に固定された状態において、カバー部材に外力が加えられた際に、カバー部材の外縁部が内側方向または外側方向へ移動するのを移動規制部により確実に規制することができる。
【００１０】
また、上記のように構成することによって、３つ（３辺）の内側面により、カバー部材の３方向に対する概略的な位置決めおよび位置保持を容易に行うことができるので、カバー部材の取付作業性をより向上させることができる。
【００１１】
上記第１の局面による表示装置において、好ましくは、窪み部内に形成された、凸部をさらに備え、カバー部材は、凸部に当接する。このように構成すれば、凸部の外側面により、カバー部材の内側方向に対する概略的な位置決めおよび位置保持を容易に行うことができるので、これによっても、カバー部材を表示パネル支持部材に取り付ける際の取付作業性を向上させることができる。
【００１３】
上記凸部を備える表示装置において、好ましくは、カバー部材は、凸部と対向するように配置され、カバー部材と一体的に形成された第１リブ部を含む。このように構成すれば、カバー部材と別体で第１リブ部が設けられる場合と異なり、部品点数が増加するのを抑制しながら、カバー部材の第１リブ部により、カバー部材の内側方向に対する概略的な位置決めおよび位置保持をしてカバー部材の取付作業性を向上させることができる。
【００１４】
上記第１の局面による表示装置において、好ましくは、第２面の一部を切り起こした切り起こし部をさらに備え、切り起こし部とカバー部材とは、当接する。このように構成すれば、支持部材の切り起こし部により、カバー部材の内側方向に対する概略的な位置決めおよび位置保持を容易に行うことができる。
【００１６】
上記切り起こし部を備える表示装置において、好ましくは、カバー部材は、切り起こし部と対向するように配置され、カバー部材と一体的に形成された第２リブ部を含み、第２リブ部と切り起こし部とは、当接する。このように構成すれば、カバー部材と別体で第２リブ部が設けられる場合と異なり、部品点数が増加するのを抑制しながら、カバー部材の第２リブ部により、カバー部材の内側方向に対する概略的な位置決めおよび位置保持を行うことができる。
【発明の効果】
【００１９】
本発明によれば、上記のように、カバー部材を表示パネル支持部材に取り付ける際に、カバー部材の概略的な位置決めを行うことができる。
【図面の簡単な説明】
【００２０】
【図１】本発明の一実施形態による液晶テレビジョン装置を前側から見た全体斜視図である。
【図２】本発明の一実施形態による液晶テレビジョン装置を後ろ側から見た全体斜視図である。
【図３】本発明の一実施形態による液晶テレビジョン装置の分解斜視図である。
【図４】本発明の一実施形態による液晶テレビジョン装置の背面図（後面図）である。
【図５】本発明の一実施形態によるカバー部材の第１リブ部が表示パネル支持部材の凸部と対向するように配置されている状態を示す斜視図である。
【図６】図４の２００−２００線に沿った断面図である。
【図７】図４の３００−３００線に沿った断面斜視図である。
【図８】図４の３００−３００線に沿った断面図である。
【図９】本発明の一実施形態による液晶テレビジョン装置の表示パネル支持部材の背面図（後面図）である。
【図１０】本発明の一実施形態による液晶テレビジョン装置のブロック図である。
【発明を実施するための形態】
【００２１】
以下、本発明を具体化した実施形態を図面に基づいて説明する。
【００２２】
図１〜図１０を参照して、本発明の一実施形態による液晶テレビジョン装置１００の構成について説明する。なお、液晶テレビジョン装置１００は、本発明の「表示装置」および「テレビジョン装置」の一例である。
【００２３】
本発明の一実施形態による液晶テレビジョン装置１００は、図１および図２に示すように、矩形形状を有するとともに、枠状の前部筐体１と、前部筐体１に収納された液晶表示パネル２と、液晶テレビジョン装置１００全体を支持するスタンド部材３とを備えている。なお、液晶表示パネル２は、本発明の「表示パネル」の一例である。また、前部筐体１およびスタンド部材３は、共に樹脂製である。
【００２４】
また、図２に示すように、前部筐体１の後面側（矢印Ｙ２方向側）には、板金（ＳＥＣＣ：電気亜鉛めっき鋼板）からなる金属製の表示パネル支持部材（リアフレーム）４が配置されている。この表示パネル支持部材４は、液晶表示パネル２を支持するように配置されている。また、図４に示すように、表示パネル支持部材４は、後方から見て、矩形形状を有しているとともに、前部筐体１よりも小さく形成されている。
【００２５】
また、金属製の表示パネル支持部材４の後面（裏面）側には、樹脂製のカバー部材５が取り付けられている。また、カバー部材５は、後方から見て、矩形形状を有しているとともに、前部筐体１および表示パネル支持部材４よりも小さく形成されている。
【００２６】
また、カバー部材５は、後面から見て、表示パネル支持部材４の後面（背面）の外周部近傍が逆Ｕ字形状に露出するように表示パネル支持部材４の後面を覆っている。また、表示パネル支持部材４の後面（裏面）は、カバー部材５から露出した領域４０１と、カバー部材５により覆われた領域４０２とを有している。なお、表示パネル支持部材４のカバー部材５から露出した領域４０１と、カバー部材５とにより、後部筐体が構成されている。すなわち、表示パネル支持部材４の後面（裏面）の一部分である領域４０１は、後部筐体を構成している。
【００２７】
また、図３に示すように、表示パネル支持部材４の後面（裏面）のカバー部材５により覆われた領域４０２には、ネジ６により、装置全体に電力を供給する機能を有する回路基板７と、信号処理を行う回路基板８とがＸ方向に所定の間隔を隔てて並べて取り付けられている。
【００２８】
また、表示パネル支持部材４の前方（矢印Ｙ１方向側）には、板金（ＳＥＣＣ）からなる金属製の反射シートホルダ９ａと、反射シートホルダ９ｂと、反射シートホルダ９ｃと、ヒートシンク１０とが配置されている。また、反射シートホルダ９ａ、９ｂ、９ｃおよびヒートシンク１０の前方（矢印Ｙ１方向）には、後述するＬＥＤ光源１７ａからの光を反射する反射シート１１、光を拡散させる導光板１２および光拡散シート１３、光を集光させるレンズシート１４、枠状の樹脂フレーム１５、液晶表示パネル２、４つのベゼル１６および前部筐体１が配置されている。また、反射シートホルダ９ａ、９ｂおよび９ｃと、ヒートシンク１０とにより、反射シート１１の４辺が導光板１２に押さえつけられている。
【００２９】
また、液晶表示パネル２の上端部分（矢印Ｚ１方向側の部分）には、液晶表示パネル２を駆動させる液晶表示パネル駆動用基板２ａが設けられている。また、液晶表示パネル駆動基板２ａには、回路基板８と接続する電源用配線２ｂが接続されている。
【００３０】
また、図６に示すように、導光板１２の側方（矢印Ｘ２方向）には、複数のＬＥＤから構成されるバックライト用のＬＥＤ光源１７ａが配置されている。また、ＬＥＤ光源１７ａは、ＬＥＤ基板１７ｂの矢印Ｘ１方向側の表面に取り付けられている。また、ＬＥＤ基板１７ｂの矢印Ｘ２方向側の表面（ＬＥＤ光源１７ａが取り付けられている面とは反対側の面）は、放熱テープ（シート）１８を介して、ヒートシンク１０の矢印Ｘ１方向側の表面に取り付けられている。また、ＬＥＤ基板１７ｂには、回路基板７と接続するＬＥＤ用配線１７ｃ（図３参照）が接続されている。
【００３１】
ここで、本実施形態では、図５〜図９に示すように、表示パネル支持部材４の後面（裏面）には、カバー部材５が表示パネル支持部材４に取り付けられる際に、カバー部材５の外側方向への移動を規制する凹部４１と、カバー部材５の内側方向への移動を規制する凸部４２と、カバー部材５の内側方向への移動を規制する２つの切り起こし部４３ａおよび切り起こし部４４ａとが形成されている。なお、表示パネル支持部材４の凹部４１は、本発明の「第１移動規制部」の一例であり、凸部４２は、本発明の「第２移動規制部」の一例であり、２つの切り起こし部４３ａおよび切り起こし部４４ａは、本発明の「第３移動規制部」の一例である。
【００３２】
具体的には、本実施形態では、図５および図６に示すように、表示パネル支持部材４の後面（裏面）に形成された凹部４１は、液晶表示パネル２側（前面側）（矢印Ｙ１方向側）に向かって窪んだ形状を有している。また、表示パネル支持部材４の凹部４１は、絞り加工により形成されている。
【００３３】
また、図９に示すように、表示パネル支持部材４の凹部４１は、後方から見て、表示パネル支持部材４の後面の内側領域から下方領域にわたって形成されている。また、凹部４１が形成された領域の表面積は、表示パネル支持部材４のカバー部材５により覆われた領域４０２の表面積と略等しい。
【００３４】
また、表示パネル支持部材４の凹部４１の内側面４１ａは、後方から見て、逆Ｕ字形状を有するように延びている。すなわち、カバー部材５の外縁部５１の外側面５１ａ（図６〜図８参照）と、表示パネル支持部材４の凹部４１の内側面４１ａとが対向する領域は、後方から見て、逆Ｕ字形状を有するように延びている。具体的には、逆Ｕ字形状を有する凹部４１の内側面４１ａは、表示パネル支持部材４の矢印Ｘ２方向側、矢印Ｚ１方向側および矢印Ｘ１方向側の領域に沿って連続的に延びるように形成されている。また、カバー部材５が表示パネル支持部材４に取り付けられる際に、表示パネル支持部材４の凹部４１の３つの方向（矢印Ｘ２方向、矢印Ｚ１方向および矢印Ｘ１方向）の領域に形成された内側面４１ａと、カバー部材５の外側面５１ａとが当接することにより、カバー部材５の３つの外側方向への移動が規制されるように構成されている。これにより、カバー部材５の表示パネル支持部材４に対する概略的な位置決めおよび位置保持が行われる。
【００３５】
また、図６に示すように、カバー部材５が表示パネル支持部材４に固定された状態において、カバー部材５の外縁部５１の外側面５１ａは、表示パネル支持部材４の凹部４１の内側面４１ａと所定の間隔（隙間）を隔てて対向している。なお、カバー部材５（外側面５１ａ）と、表示パネル支持部材４（内側面４１ａ）との間に隙間を設けることにより、後述するスピーカ２０から発せられた音声などによる振動に起因するノイズ（ビビリ音）を軽減することが可能となる。
【００３６】
また、本実施形態では、図９に示すように、表示パネル支持部材４の凸部４２は、後方から見て、表示パネル支持部材４の凹部４１の左端（矢印Ｘ２方向側）の領域に形成されているとともに、凹部４１の内側面４１ａよりも内側（矢印Ｘ１方向側）の領域に配置されている。また、表示パネル支持部材４の凸部４２は、後方から見て、表示パネル支持部材４の凹部４１の内側面４１ａに沿ってＺ方向に延びるように形成されている。
【００３７】
また、図６に示すように、表示パネル支持部材４の凸部４２は、カバー部材５側（後面側）（矢印Ｙ２方向側）に向かって突出するように形成されている。また、表示パネル支持部材４の凸部４２は、絞り加工により形成されている。
【００３８】
また、カバー部材５がネジ６により表示パネル支持部材４に固定された状態において、カバー部材５の内側面５１ｂは、表示パネル支持部材４の凸部４２の外側面４２ａと所定の間隔（隙間）を隔てて対向している。また、カバー部材５の外縁部５１は、凸部４２の外側面４２ａと、凹部４１の内側面４１ａとの間に配置されている。
【００３９】
また、カバー部材５は、カバー部材５の内側面５１ｂから内側方向に延びるようにカバー部材５と一体的に形成された第１リブ部５１ｃを有している。また、カバー部材５がネジ６により表示パネル支持部材４に固定された状態において、カバー部材５の第１リブ部５１ｃは、表示パネル支持部材４の凹部４１の底面４１ｂ、凸部４２の外側面４２ａおよび凸部４２の表面４２ｂとそれぞれ所定の間隔（隙間）を隔てて対向するように配置されている。すなわち、カバー部材５の第１リブ部５１ｃの凸部４２に対向する部分は、凸部４２の凸形状に対応する凹形状を有している。
【００４０】
また、カバー部材５が表示パネル支持部材４に取り付けられる際に、表示パネル支持部材４の凸部４２の外側面４２ａと、表示パネル支持部材４の凸部４２と対向するカバー部材５の第１リブ部５１ｃとが当接することにより、カバー部材５の内側方向（カバー部材５の外縁部５１から中心部に沿った方向）への移動が規制されるように構成されている。これにより、カバー部材５の表示パネル支持部材４に対する概略的な位置決めおよび位置保持が行われる。
【００４１】
また、図５に示すように、カバー部材５の第１リブ部５１ｃは、Ｚ方向に沿って所定の間隔を隔てて複数形成されている。また、カバー部材５の第１リブ部５１ｃは、カバー部材５の内側面５１ｂの表面に垂直な方向の長さＬ１よりもカバー部材５の内側面５１ｂの表面に沿った方向の長さＬ２の方が大きくなるように形成されている。
【００４２】
また、本実施形態では、図９に示すように、表示パネル支持部材４の２つの切り起こし部４３ａおよび切り起こし部４４ａは、後方から見て、表示パネル支持部材４の凹部４１の上端（矢印Ｚ１方向側）の領域にＸ方向に沿って２か所形成されている。また、切り起こし部４３ａおよび切り起こし部４４ａの各々は、表示パネル支持部材４の凹部４１の内側面４１ａに沿ってＸ方向に延びるように形成されている。
【００４３】
また、表示パネル支持部材４の切り起こし部４３ａおよび切り起こし部４４ａは、後方から見て、凹部４１の内側面４１ａよりも内側（矢印Ｚ２方向側）の領域に配置されている。また、切り起こし部４３ａおよび切り起こし部４４ａは、表示パネル支持部材４の後面（裏面）の一部を切り起こすことにより形成されている。
【００４４】
また、切り起こし部４３ａは、回路基板７（図３参照）に接続されるＬＥＤ用配線１７ｃを通すための穴部４３ｂを形成する際に、表示パネル支持部材４の穴部４３ｂに対応する部分を切り起こすことにより形成されている。また、切り起こし部４４ａは、回路基板８に接続される電源用配線２ｂを通すための穴部４４ｂを形成する際に、表示パネル支持部材４の穴部４４ｂに対応する部分を切り起こすことにより形成されている。これらの穴部４３ｂおよび穴部４４ｂの各々は、後方から見て、略矩形形状を有している。また、切り起こし部４３ａ（切り起こし部４４ａ）は、後方から見て、穴部４３ｂ（穴部４４ｂ）の上端（矢印Ｚ１方向側）の領域に形成されている。
【００４５】
また、図７および図８に示すように、カバー部材５は、カバー部材５の内側面５１ｂから内側方向（矢印Ｚ２方向）に延びるようにカバー部材５と一体的に形成された第２リブ部５１ｄを有している。また、カバー部材５の第２リブ部５１ｄの内側面５１ｂの表面に垂直な方向の長さＬ３（図８参照）は、カバー部材５の第１リブ部５１ｃの内側面５１ｂの表面に垂直な方向の長さＬ１（図６参照）よりも小さい。
【００４６】
また、カバー部材５がネジ６により表示パネル支持部材４に固定された状態において、カバー部材５の第２リブ部５１ｄは、表示パネル支持部材４の切り起こし部４３ａおよび４４ａの各々と対向するように所定の間隔（隙間）を隔てて配置されている。また、カバー部材５が表示パネル支持部材４に取り付けられる際に、カバー部材５の第２リブ部５１ｄと、表示パネル支持部材４の切り起こし部４３ａおよび４４ａの各々とが当接することにより、カバー部材５の内側方向への移動が規制されるように構成されている。これにより、カバー部材５の表示パネル支持部材４に対する概略的な位置決めおよび位置保持が行われる。
【００４７】
また、図９に示すように、表示パネル支持部材４の後面（底面）には、回路基板７および回路基板８の各々を取り付けるための複数の基板取付部４５が形成されている。また、複数の基板取付部４５の各々は、カバー部材５に向かって突出するように形成されている。また、複数の基板取付部４５の各々には、基板取付用ネジ穴４ａが形成されている。
【００４８】
また、図３に示すように、回路基板７の外縁部には、ネジ６を挿入するための複数のネジ挿入穴７ａが形成されている。また、複数のネジ６の各々が回路基板７のネジ挿入穴７ａを介して表示パネル支持部材４の複数の基板取付用ネジ穴４ａに取り付けられることにより、回路基板７が表示パネル支持部材４に対して固定されている。
【００４９】
また、回路基板８の外縁部には、ネジ６を挿入するための複数のネジ挿入穴８ａが形成されている。また、複数のネジ６の各々が回路基板８のネジ挿入穴８ａを介して表示パネル支持部材４の複数の基板取付用ネジ穴４ａに取り付けられることにより、回路基板８が表示パネル支持部材４に対して固定されている。
【００５０】
また、表示パネル支持部材４の後面には、カバー部材５を取り付けるための複数のカバー部材取付用ネジ穴４ｃが形成されている。また、カバー部材５の外縁部近傍には、複数のネジ挿入穴５ａが形成されている。また、複数のネジ６の各々がカバー部材５の複数のネジ挿入穴５ａを介して、表示パネル支持部材４のカバー部材取付用ネジ穴４ｃに取り付けられることにより、カバー部材５が表示パネル支持部材４に対して固定されている。なお、図３および図６に示すように、カバー部材５の左上のネジ挿入穴５ａに取り付けられたネジ６は、回路基板７の左上のネジ挿入穴７ａを介して、表示パネル支持部材４の左上の基板取付用ネジ穴４ａに取り付けられている。すなわち、カバー部材５の前面（矢印Ｙ１方向側の表面）は、回路基板７を介して、表示パネル支持部材４の基板取付部４５の後面（裏面）（矢印Ｙ２方向側の表面）と間接的に接触するように取り付けられている。
【００５１】
また、図３に示すように、スピーカ取付部材１９には、２つのスピーカ２０が取り付けられている。また、表示パネル支持部材４のカバー部材取付用ネジ穴４ｃのうちの下端に形成されたカバー部材取付用ネジ穴４ｃには、スピーカ取付部材１９を挟み込むようにして、ネジ６によりカバー部材５が取り付けられている。また、カバー部材５は、回路基板７および回路基板８と、２つのスピーカ２０が取り付けられたスピーカ取付部材１９とを後方から覆うように取り付けられている。
【００５２】
また、表示パネル支持部材４には、外縁部に沿って、前部筐体１と固定するための複数のネジ挿入穴４ｂが形成されている。また、前部筐体１の後面には、外縁部に沿って、複数の支持部材取付用ネジ穴１ａが形成されている。また、複数のネジ６の各々が表示パネル支持部材４のネジ挿入穴４ｂを介して前部筐体１の複数の支持部材取付用ネジ穴１ａに取り付けられることにより、表示パネル支持部材４が前部筐体１に対して固定されている。
【００５３】
また、ヒートシンク１０の後面（裏面）には、表示パネル支持部材４と固定するための２つの支持部材取付用ネジ穴１０ｃが形成されている。また、表示パネル支持部材４には、ネジ６を取り付けるためのネジ挿入穴４ｄが形成されている。また、ネジ６が表示パネル支持部材４のネジ挿入穴４ｄを介してヒートシンク１０の支持部材取付用ネジ穴１０ｃに取り付けられることにより、ヒートシンク１０と表示パネル支持部材４とが固定されている。
【００５４】
また、ヒートシンク１０には、反射シートホルダ９ａおよび反射シートホルダ９ｂを取り付けるためのネジ挿入穴１０ａが形成されている。また、反射シートホルダ９ａおよび反射シートホルダ９ｂの左端には、それぞれ、ヒートシンク１０を取り付けるためのヒートシンク取付用ネジ穴９１ａおよびヒートシンク取付用ネジ穴９１ｂが形成されている。また、ネジ６がヒートシンク１０のネジ挿入穴１０ａを介して、反射シートホルダ９ａのヒートシンク取付用ネジ穴９１ａおよび反射シートホルダ９ｂのヒートシンク取付用ネジ穴９１ｂの各々に取り付けられることにより、ヒートシンク１０と、反射シートホルダ９ａおよび反射シートホルダ９ｂとが固定されている。
【００５５】
また、反射シートホルダ９ｃには、反射シートホルダ９ａおよび反射シートホルダ９ｂを取り付けるためのネジ挿入穴９１ｃが形成されている。また、反射シートホルダ９ａの右端には、反射シートホルダ９ｃを取り付けるための反射シートホルダ取付用ネジ穴９２ａが形成されている。また、反射シートホルダ９ｂの右端には、反射シートホルダ９ｃを取り付けるための反射シートホルダ取付用ネジ穴（図示せず）が形成されている。また、ネジ６が反射シートホルダ９ｃのネジ挿入穴９１ｃを介して、反射シートホルダ９ａの反射シートホルダ取付用ネジ穴９２ａおよび反射シートホルダ９ｂの反射シートホルダ取付用ネジ穴（図示せず）に取り付けられることにより、反射シートホルダ９ａおよび反射シートホルダ９ｂと、反射シートホルダ９ｃとが固定されている。
【００５６】
また、ヒートシンク１０の上端部および下端部には、それぞれ、ベゼル１６と固定するためのネジ挿入穴１０ｂが形成されている。また、反射シートホルダ９ａの右端および左端には、それぞれ、ベゼル１６を取り付けるためのベゼル取付用ネジ穴９３ａが形成されているとともに、反射シートホルダ９ｂの右端および左端には、それぞれ、ベゼル１６を取り付けるためのベゼル取付用ネジ穴９２ｂが形成されている。また、ベゼル１６には、ネジ６を取り付けるためのネジ挿入穴１６ａが形成されている。また、ネジ６がベゼル１６のネジ挿入穴１６ａおよびヒートシンク１０のネジ挿入穴１０ｂを介して、反射シートホルダ９ａおよび９ｂの左端にそれぞれ形成されたベゼル取付用ネジ穴９３ａおよび９３ｂに取り付けられることにより、ベゼル１６と、ヒートシンク１０と、反射シートホルダ９ａと、反射シートホルダ９ｂとが固定されている。
【００５７】
また、反射シートホルダ９ｃの上端部および下端部には、それぞれ、ベゼル１６を取り付けるためのネジ挿入穴９２ｃが形成されている。また、ネジ６がベゼル１６のネジ挿入穴１６ａおよび反射シートホルダ９ｃの上端部のネジ挿入穴９２ｃを介して、反射シートホルダ９ａの右端に形成されたベゼル取付用ネジ穴９３ａに取り付けられるとともに、ネジ６がベゼル１６のネジ挿入穴１６ａおよび反射シートホルダ９ｃの下端部のネジ挿入穴（図示せず）を介して、反射シートホルダ９ｂの右端に形成されたベゼル取付用ネジ穴（図示せず）に取り付けられることにより、ベゼル１６と、反射シートホルダ９ａと、反射シートホルダ９ｂと、反射シートホルダ９ｃとが固定されている。
【００５８】
また、図１０に示すように、表示パネル支持部材４に取り付けられた信号処理用の回路基板８（図３参照）は、テレビジョン放送を受信可能な受信部（チューナー）２１（図３参照）を有している。また、図１０に示すように、液晶テレビジョン装置１００では、受信部２１は、液晶表示パネル２およびスピーカ２０と接続されており、アンテナ１１０により受信されたテレビジョン放送信号（映像信号および音声信号）のうち映像信号を液晶表示パネル２に出力するとともに、音声信号をスピーカ２０に出力するように構成されている。
【００５９】
本実施形態では、上記のように、カバー部材５を取り付ける際にカバー部材５の移動を規制する凹部４１（凸部４２、切り起こし部４３ａ、切り起こし部４４ａ）を表示パネル支持部材４の後面に設けることによって、カバー部材５の移動を凹部４１（凸部４２、切り起こし部４３ａ、切り起こし部４４ａ）により規制されるので、カバー部材５を表示パネル支持部材４に取り付ける際に、カバー部材５の概略的な位置決めおよび位置保持を行うことができる。これにより、カバー部材５を表示パネル支持部材４に取り付ける際の取付作業性を向上させることができる。また、カバー部材５の移動を規制する凹部４１（凸部４２、切り起こし部４３ａ、切り起こし部４４ａ）を表示パネル支持部材４に設けることによって、カバー部材５が表示パネル支持部材４にネジ６により固定された状態において、カバー部材５に外力が加えられた際に、カバー部材５の外縁部５１が内側方向または外側方向へ移動するのを凹部４１（凸部４２、切り起こし部４３ａ、切り起こし部４４ａ）により確実に規制することができる。
【００６０】
また、本実施形態では、上記のように、カバー部材５が表示パネル支持部材４に取り付けられる際に、表示パネル支持部材４の凹部４１の内側面４１ａにより、カバー部材５の外側方向への移動を規制することによって、凹部４１の内側面４１ａにより、容易にカバー部材５の外側方向に対する概略的な位置決めおよび位置保持を行うことができるので、容易にカバー部材５の取付時の作業性を向上させることができる。
【００６１】
また、本実施形態では、上記のように、カバー部材５が表示パネル支持部材４に取り付けられる際に、カバー部材５の外側面５１ａと、表示パネル支持部材４の凹部４１の内側面４１ａとが対向する領域が、後方から見て、逆Ｕ字形状を有するように延びることによって、逆Ｕ字形状を有する凹部４１の３つ（３辺）の内側面４１ａにより、カバー部材５の３方向に対する概略的な位置決めおよび位置保持を容易に行うことができるので、カバー部材５の取付作業性をより向上させることができる。
【００６２】
また、本実施形態では、上記のように、カバー部材５が表示パネル支持部材４に取り付けられる際に、表示パネル支持部材４の凸部４２の外側面４２ａにより、カバー部材５の内側方向への移動を規制することによって、凸部４２の外側面４２ａにより、カバー部材５の内側方向に対する概略的な位置決めおよび位置保持を容易に行うことができるので、これによっても、カバー部材５を表示パネル支持部材４に取り付ける際の取付作業性を向上させることができる。
【００６３】
また、本実施形態では、上記のように、カバー部材５の外縁部５１を、凸部４２の外側面４２ａと凹部４１の内側面４１ａとの間に配置することによって、凹部４１（第１移動規制部）によりカバー部材５の外側方向に対する概略的な位置決めおよび位置保持を行うことができるとともに、凸部４２（第２移動規制部）によりカバー部材５の内側方向に対する概略的な位置決めおよび位置保持を行うことができるので、カバー部材５を表示パネル支持部材４に取り付ける際の取付作業性をより向上させることができる。
【００６４】
また、本実施形態では、上記のように、カバー部材５が表示パネル支持部材４に取り付けられる際に、表示パネル支持部材４の凸部４２と対向するカバー部材５の第１リブ部５１ｃにより、カバー部材５の内側方向への移動を規制することによって、カバー部材５と別体で第１リブ部５１ｃが設けられる場合と異なり、部品点数が増加するのを抑制しながら、カバー部材５の第１リブ部５１ｃにより、カバー部材５の内側方向に対する概略的な位置決めおよび位置保持をしてカバー部材５の取付作業性を向上させることができる。
【００６５】
また、本実施形態では、上記のように、カバー部材５が表示パネル支持部材４に取り付けられる際に、表示パネル支持部材４の切り起こし部４３ａ（４４ａ）により、カバー部材５の内側方向への移動を規制することによって、表示パネル支持部材４の切り起こし部４３ａ（４４ａ）により、カバー部材５の内側方向に対する概略的な位置決めおよび位置保持を容易に行うことができる。
【００６６】
また、本実施形態では、上記のように、表示パネル支持部材４の後面の切り起こし部４３ａ（４４ａ）を、ＬＥＤ用配線１７ｃ（電源用配線２ｂ）を通すための穴部４３ｂ（４４ｂ）を形成する際に、穴部４３ｂ（４４ｂ）に対応する部分を切り起こすことにより形成することによって、切り起こし部４３ａ（４４ａ）と、ＬＥＤ用配線１７ｃ（電源用配線２ｂ）を通すための穴部４３ｂ（４４ｂ）とを別個に形成する場合と異なり、製造工程を簡略化することができる。
【００６７】
また、本実施形態では、上記のように、カバー部材５が表示パネル支持部材４に取り付けられる際に、表示パネル支持部材４の切り起こし部４３ａ（４４ａ）と対向するカバー部材５の第２リブ部５１ｄにより、カバー部材５の内側方向への移動を規制することによって、カバー部材５と別体で第２リブ部５１ｄが設けられる場合と異なり、部品点数が増加するのを抑制しながら、カバー部材５の第２リブ部５１ｄにより、カバー部材５の内側方向に対する概略的な位置決めおよび位置保持を行うことができる。
【００６８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６９】
たとえば、上記実施形態では、本発明の表示装置（テレビジョン装置）の一例として液晶テレビジョン装置に本発明を適用する例を示したが、本発明はこれに限られない。たとえば、テレビジョン装置以外のパーソナルコンピュータのモニタなどの他の表示装置や液晶テレビジョン装置以外のテレビジョン装置にも本発明を適用可能である。
【００７０】
また、上記実施形態では、本発明の移動規制部の一例として、表示パネル支持部材の後面（裏面）に凸部、凹部および切り起こし部を設けることにより、カバー部材の概略的な位置決めを行う例を示したが、本発明はこれに限られない。たとえば、カバー部材が表示パネル支持部材に取り付けられる際に、カバー部材の移動を規制することが可能であれば、上記凸部、凹部および切り起こし部以外の移動規制部を表示パネル支持部材の後面（裏面）に設けてもよい。
【００７１】
また、上記実施形態では、凹部（第１移動規制部）を、後方から見て、表示パネル支持部材の内側領域から下方領域にわたって設けるとともに、カバー部材の外側面と、表示パネル支持部材の凹部の内側面とが対向する領域が、後方から見て、逆Ｕ字形状を有するように延びている例を示したが、本発明はこれに限られない。たとえば、凹部（第１移動規制部）を、後方から見て、表示パネル支持部材の後面（裏面）に略矩形形状を有するように形成してもよい。この場合、カバー部材の４つ（４辺）の外側面が凹部の４つ（４辺）の内側面と対向するように配置されるので、カバー部材が表示パネル支持部材に取り付けられる際に、カバー部材が４つの方向に移動するのを規制することが可能となる。
【００７２】
また、上記実施形態では、凸部（第２移動規制部）を、後方から見て、表示パネル支持部材の凹部の左端（矢印Ｘ２方向側）の領域に形成する例を示したが、本発明はこれに限られない。たとえば、凸部（第２移動規制部）を表示パネル支持部材の凹部の上端（矢印Ｚ１方向側）の領域、右端（矢印Ｘ１方向側）の領域または下端（矢印Ｚ２方向側）の領域に形成してもよい。
【００７３】
また、上記実施形態では、切り起こし部（第３移動規制部）を表示パネル支持部材の後面（裏面）に２つ形成する例を示したが、本発明はこれに限られない。たとえば、切り起こし部（第３移動規制部）を表示パネル支持部材の後面（裏面）に１つまたは３つ以上形成してもよい。
【００７４】
また、上記実施形態では、金属製の表示パネル支持部材の後面に凹部、凸部および切り起こし部を形成する例を示したが、本発明はこれに限られない。たとえば、樹脂製の表示パネル支持部材の後面に凹部および凸部を形成してもよい。
【００７５】
また、上記実施形態では、カバー部材の外縁部と、表示パネル支持部材の凹部、凸部および切り起こし部との間に所定の間隔（隙間）を設ける例を示したが、本発明はこれに限られない。たとえば、カバー部材の外縁部と、表示パネル支持部材の凹部、凸部および切り起こし部の各々との間に隙間を設けずに、カバー部材の外縁部と、表示パネル支持部材の凹部、凸部および切り起こし部の各々とが直接接触するように構成してもよい。
【符号の説明】
【００７６】
２  液晶表示パネル（表示パネル）
４  表示パネル支持部材
５  カバー部材
２１  受信部
４１  凹部（第１移動規制部、移動規制部）
４２  凸部（第２移動規制部、移動規制部）
４３ａ、４４ａ  切り起こし部（第３移動規制部、移動規制部）
４３ｂ、４４ｂ  穴部
５１ｃ  第１リブ部
５１ｄ  第２リブ部
１００  液晶テレビジョン装置（表示装置）（テレビジョン装置）
【図１】
0006174297.tif 000002
【図２】
0006174297.tif 000003
【図３】
0006174297.tif 000004
【図４】
0006174297.tif 000005
【図５】
0006174297.tif 000006
【図６】
0006174297.tif 000007
【図７】
0006174297.tif 000008
【図８】
0006174297.tif 000009
【図９】
0006174297.tif 000010
【図１０】
0006174297.tif 000011